(57)【要約】      （修正有）【課題】栽培環境の温度および光を適切に調整することができる栽培装置を提供する。【解決手段】栽培装置１００は、植物１の育成のために使用される被収納物２を収納する栽培槽と、栽培槽の開口の少なくとも一部を覆い、植物１の根の周りに被収納物２が配置された状態で植物１を保持する保持部材１２０とを備え、保持部材１２０には、光の反射機能を有する凹部１２２が形成され、光源１４０からの光は、凹部１２２で反射し、凹部１２２の底面に保持されている植物１に向かう。【選択図】図４
2020145972.tif 000002
【特許請求の範囲】
【請求項１】
植物の育成のために使用される被収納物を収納する栽培槽と、
前記栽培槽の開口の少なくとも一部を覆い、前記植物の根の周りに前記被収納物が配置された状態で前記植物を保持する保持部材とを備え、
前記保持部材には、光の反射機能を有する凹部が形成され、
光源からの光は、前記凹部で反射し、前記凹部の底面に保持されている前記植物に向かう、
栽培装置。
【請求項２】
前記保持部材は、長尺状の部材であって、前記保持部材の長手方向に沿って並ぶ複数の前記植物を保持する、
請求項１に記載の栽培装置。
【請求項３】
前記凹部の側面および底面は、白色である、
請求項１または２に記載の栽培装置。
【請求項４】
前記栽培装置は、さらに、
前記光源を備え、
前記光源から前記凹部の底面までの第１の距離がＬ１であり、前記光源から前記保持部材における前記凹部の周縁部までの第２の距離がＬ２である場合、
前記第１の距離Ｌ１および前記第２の距離Ｌ２は、Ｌ２≧Ｌ１×１／３の関係を満たす、
請求項１〜３の何れか１項に記載の栽培装置。
【請求項５】
前記凹部の底面は、平面または曲面である、
請求項１〜４の何れか１項に記載の栽培装置。
【請求項６】
前記保持部材には、
それぞれ第１の方向に沿う複数の溝であって、前記第１の方向と交差する第２の方向に配列された前記複数の溝のそれぞれが、前記凹部として形成されている、
請求項１〜５の何れか１項に記載の栽培装置。
【請求項７】
前記凹部は、前記栽培槽の底側に凹んだ形状である、
請求項１〜６の何れか１項に記載の栽培装置。
【請求項８】
栽培槽の開口部に当接する当接部と、
前記当接部の前記開口部への当接によって前記栽培槽の開口内に配置され、植物を保持する凹部とを備え、
前記凹部は、光の反射機能を有し、
光源からの光は、前記凹部で反射し、前記凹部の底面に保持されている前記植物に向かう、
植物保持具。
【発明の詳細な説明】
【技術分野】
【０００１】
本開示は、例えば葉菜類などの植物を栽培するための栽培装置と、その植物を保持する植物保持具に関する。
【背景技術】
【０００２】
従来、光反射板を備えた植物栽培装置が提案されている（特許文献１参照）。このような光反射板は、照明器具から照射される光を反射して植物に当てることができる。したがって、植物により多くの光を当てて植物の成長を促すことができる。
【先行技術文献】
【特許文献】
【０００３】
【特許文献１】特開２０１５−１３６３５９号公報
【発明の概要】
【発明が解決しようとする課題】
【０００４】
しかしながら、上記特許文献１の植物栽培装置では、栽培環境の温度が上昇しやすいという課題がある。一方、光反射板がなければ、十分な光を植物に照射することが難しいという課題がある。
【０００５】
そこで、本開示は、栽培環境の温度および光を適切に調整することができる栽培装置を提供する。
【課題を解決するための手段】
【０００６】
本開示の一態様に係る栽培装置は、植物の育成のために使用される被収納物を収納する栽培槽と、前記栽培槽の開口の少なくとも一部を覆い、前記植物の根の周りに前記被収納物が配置された状態で前記植物を保持する保持部材とを備え、前記保持部材には、光の反射機能を有する凹部が形成され、光源からの光は、前記凹部で反射し、前記凹部の底面に保持されている前記植物に向かう。
【０００７】
本開示の一態様に係る植物保持具は、栽培槽の開口部に当接する当接部と、前記当接部の前記開口部への当接によって前記栽培槽の開口内に配置され、植物を保持する凹部とを備え、前記凹部は、光の反射機能を有し、光源からの光は、前記凹部で反射し、前記凹部の底面に保持されている前記植物に向かう。
【０００８】
なお、これらの包括的または具体的な態様は、システムまたは方法で実現されてもよく、システムおよび方法の任意な組み合わせで実現されてもよい。
【発明の効果】
【０００９】
本開示の植物栽培方法は、栽培環境の温度および光を適切に調整することができる。
【図面の簡単な説明】
【００１０】
【図１】図１は、実施の形態における植物栽培システムの構成図である。
【図２】図２は、実施の形態における保持部材が取り付けられた栽培槽の外観図である。
【図３】図３は、実施の形態における保持部材が取り付けられた栽培槽の斜視図である。
【図４】図４は、実施の形態における栽培装置において光源からの光が植物に照射される状態を示す図である。
【図５】図５は、実施の形態における保持部材の凹部の深さを説明するための図である。
【図６】図６は、実施の形態における保持部材における凹部の他の例を示す図である。
【図７】図７は、実施の形態の変形例に係るプール構造の栽培装置の外観および断面を示す図である。
【発明を実施するための形態】
【００１１】
（本開示の基礎となった知見）
本発明者は、「背景技術」の欄において記載した上記特許文献１に関し、以下の課題が生じることを見出した。
【００１２】
上記特許文献１の植物栽培装置は、上述のように、光反射板を備えている。この光反射板は、栽培容器と蓋体とからなる栽培トレーの両端にそれぞれ設置される。そして、照明器具からの光は、この光反射板によって反射されて、栽培トレーの植物に照射される。したがって、照明器具からの光が植物から逸れて植物栽培装置の外に出てしまうことを抑えて、十分な光をその植物に当てることができる。
【００１３】
しかしながら、その光反射板によって栽培トレーの上部の空間が遮蔽されるため、照明装置が発する熱を逃し難く、栽培環境の温度が上昇し易くなってしまう。また、植物栽培装置が設置されている部屋の空調をエアコンなどで制御しようとしても、光反射板がその空調制御を妨げ、栽培トレーの植物の周辺環境の温度を調整することが難しい。また、多くの植物栽培装置を大きな部屋に設置することによって、栽培設備を大規模化した場合には、部屋の温度に対する栽培環境の温度のばらつきが大きくなり、その温度の制御が難しくなる。
【００１４】
逆に、光反射板がない場合には、温度を適切に保つことが容易になるが、植物に照射される光量が少なくなってしまう。その結果、植物の成長が遅くなり、生産効率が悪化してしまう。また、その光量を確保するために、照明器具などの光源の数を増やしたり、光の強度を高めたりすると、設備費用の増加および電気代の増加など、コストが増大してしまうという課題がある。
【００１５】
このような課題を解決するために、本開示の一態様に係る栽培装置は、植物の育成のために使用される被収納物を収納する栽培槽と、前記栽培槽の開口の少なくとも一部を覆い、前記植物の根の周りに前記被収納物が配置された状態で前記植物を保持する保持部材とを備え、前記保持部材には、光の反射機能を有する凹部が形成され、光源からの光は、前記凹部で反射し、前記凹部の底面に保持されている前記植物に向かう。例えば、前記凹部は、前記栽培槽の底側に凹んだ形状である。
【００１６】
これにより、栽培槽および保持部材の他に、光反射板などの構造物を設けることなく、保持部材に保持されている植物に光源からの光を効率的に当てることができる。その結果、光源の数および強度を増すことなく、コストを抑えて植物の成長を促進させることができる。また、その光反射板などの構造物がないため、植物の周囲の空間がその構造物によって遮られることを防ぐことができ、光源の熱を栽培装置の外に逃がしやすくすることができる。その結果、栽培環境の温度が上昇してしまうことを抑えて、適切な温度に保つことができる。つまり、植物周囲の空間を開放することができ、栽培装置が設置されている部屋のエアコンなどによって、栽培環境の温度を容易に調整することができ、空調効率の改善を図ることができる。言い換えれば、部屋のエアコンの他にも、植物の周囲に空調設備を備えることなく、栽培環境の温度を容易に調整することができる。したがって、本開示の一態様に係る栽培装置では、栽培環境の温度および光を適切に調整することができる。
【００１７】
また、前記保持部材は、長尺状の部材であって、前記保持部材の長手方向に沿って並ぶ複数の前記植物を保持してもよい。
【００１８】
これにより、多くの植物を水路構造によって効率的に栽培することができる。例えば、複数の栽培装置が鉛直方向に段積みされて成る栽培棚を用いることができ、部屋のスペースが狭くても、多くの植物を効率的に栽培することができる。
【００１９】
また、前記凹部の側面および底面は、白色であってもよい。
【００２０】
これにより、例えば白色の樹脂によって凹部を含む保持部材を生成すれば、凹部に光の反射機能を容易に持たせることができる。
【００２１】
また、前記栽培装置は、さらに、前記光源を備え、前記光源から前記凹部の底面までの第１の距離がＬ１であり、前記光源から前記保持部材における前記凹部の周縁部までの第２の距離がＬ２である場合、前記第１の距離Ｌ１および前記第２の距離Ｌ２は、Ｌ２≧Ｌ１×１／３の関係を満たしてもよい。
【００２２】
これにより、第２の距離Ｌ２が第１の距離Ｌ１の１／３以上になるように、光源が保持部材から離されるため、光源からの熱が、凹部に囲まれている空間に溜まることを抑制することができる。したがって、栽培環境の温度をより適切に調整することができる。
【００２３】
また、前記凹部の底面は、平面または曲面であってもよい。
【００２４】
これにより、保持部材の設計の自由度を高めることができる。また、凹部の底面が曲面である場合には、光源からの光を植物に向けて効率的に反射させる可能性を高めることができる。
【００２５】
また、前記保持部材には、それぞれ第１の方向に沿う複数の溝であって、前記第１の方向と交差する第２の方向に配列された前記複数の溝のそれぞれが、前記凹部として形成されていてもよい。
【００２６】
これにより、多くの植物をプール構造によって効率的に栽培することができる。
【００２７】
本開示の一態様に係る植物保持具は、栽培槽の開口部に当接する当接部と、前記当接部の前記開口部への当接によって前記栽培槽の開口内に配置され、植物を保持する凹部とを備え、前記凹部は、光の反射機能を有し、光源からの光は、前記凹部で反射し、前記凹部の底面に保持されている前記植物に向かう。
【００２８】
これにより、上述の栽培装置と同様の効果を奏することができる。
【００２９】
以下、実施の形態について、図面を参照しながら具体的に説明する。
【００３０】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。また、各図において、同じ構成部材については同じ符号を付している。
【００３１】
（実施の形態）
［植物栽培システム］
図１は、本実施の形態における植物栽培システムの構成図である。
【００３２】
本実施の形態における植物栽培システム１０００は、例えばレタスなどの植物１を栽培するためのシステムであって、３つの栽培装置１００を有する栽培棚１００１と、光源制御部１００２と、養液制御部１００３と、配管１００４とを備える。なお、本実施の形態において、鉛直方向をＺ軸方向と称し、水平方向において互いに直交する２つの方向をＸ軸方向およびＹ軸方向と称す。また、鉛直方向の上向きを単に上または上側といい、鉛直方向の上向きを単に下または下側という。
【００３３】
栽培棚１００１は、３つの栽培装置１００がＺ軸方向に積み上げられた構成を有する。このような栽培棚１００１は、植物栽培工場の建屋内に配置される。なお、本実施の形態では、栽培棚１００１は、３つの栽培装置１００を備えているが、その栽培装置１００の数は３つに限らず、２つであってもよく、４つ以上であってもよい。また、栽培棚１００１には、３つの栽培装置１００が積み上げられているだけでなく、水平方向に複数の栽培装置１００が配列されていてもよい。つまり、積み上げられた３つの栽培装置１００の列が、水平方向に複数配列されていてもよい。また、このような栽培棚１００１の周辺は、その栽培棚１００１が設置されている部屋のエアコンなどによって空調制御されている。
【００３４】
３つの栽培装置１００のそれぞれは、栽培槽１１０と、保持部材１２０と、天井板１３０と、複数の光源１４０とを備える。
【００３５】
栽培槽１１０は、植物１の育成のための養液２を被収納物として収納する容器である。このような栽培槽１１０は、上端部に開口を有する矩形状の容器であって、例えば樹脂成型品として構成されている。また、本実施の形態における栽培槽１１０のＸ軸方向の幅は、Ｙ軸方向の奥行きよりも長い。
【００３６】
保持部材１２０は、栽培槽１１０の開口部に取り付けられる。そして、この保持部材１２０は、栽培槽１１０の開口を覆い、植物１の根が養液２に浸けられた状態で植物１を保持する。つまり、植物１は、その根の周りに被収納物が配置された状態で保持される。このような保持部材１２０は、例えば樹脂成型品として構成されている。具体的には、保持部材１２０は、Ｘ軸方向に長い長尺状の部材であって、保持部材１２０の長手方向（すなわちＸ軸方向）に沿って並ぶ複数の植物１を保持する。なお、保持部材１２０は、栽培プレートとも呼ばれる。
【００３７】
天井板１３０は、栽培槽１１０の底面との間に保持部材１２０を挟んで、その保持部材１２０に対向するように配置されている。また、天井板１３０は、その保持部材１２０および栽培槽１１０の開口部から離間して配置されている。
【００３８】
複数の光源１４０はそれぞれ、ＬＥＤ（light emitting diode）などによって構成され、天井板１３０の下面側に配置されている。このような光源１４０は、光源制御部１００２から供給される電力に応じて点灯し、保持部材１２０に保持されている複数の植物１に光を照射する。光は、赤色の光であっても、青色の光であってもよい。また、複数の光源１４０は、互いに異なる複数種の色の光を植物１に照射してもよい。
【００３９】
光源制御部１００２は、栽培棚１００１に取り付けられている各光源１４０に電力を供給することによってそれらの光源１４０を点灯させる。また、光源制御部１００２は、各光源１４０の点灯と消灯とを周期的に切り替えてもよい。
【００４０】
養液制御部１００３は、配管１００４を介して、各栽培装置１００の栽培槽１１０に収納されている養液２を循環させる。
【００４１】
このように、本実施の形態における植物栽培システム１０００の栽培装置１００は、栽培槽１１０内の養液２が流されるように制御され、いわゆる水路構造として構成されている。
【００４２】
図２は、本実施の形態における保持部材１２０が取り付けられた栽培槽１１０の外観図である。なお、図２の（ａ）は、その栽培槽１１０の上面図を示し、図２の（ｂ）は、その栽培槽１１０の側面図を示し、図２の（ｃ）は、図２の（ａ）に示されるＡ−Ａ線における断面図を示す。
【００４３】
保持部材１２０は、２つの当接部１２３と、凹部１２２とを有する。２つの当接部１２３は、保持部材１２０のＹ軸方向の両端にそれぞれＸ軸方向に沿うように細長く形成され、図２の（ｃ）に示すように、栽培槽１１０における上端の開口部に当接する。つまり、保持部材１２０は、２つの当接部１２３が栽培槽１１０の開口部に当接するようにその栽培槽１１０に載置される。これにより、保持部材１２０は、栽培槽１１０に取り付けられる。なお、栽培槽１１０の開口部は、栽培槽１１０の上端の縁部からなる。
【００４４】
凹部１２２は、その２つの当接部１２３の開口部への当接によって栽培槽１１０の開口内に配置され、植物１を保持する。このように配置される凹部１２２は、栽培槽１１０の底側に凹んだ形状であって、光の反射機能を有する。例えば、凹部１２２の側面および底面は、白色である。これにより、凹部１２２に照射される光はその側面または底面によって反射する。また、本実施の形態における凹部１２２の底面は、平面であって、水平面に対して平行である。
【００４５】
また、凹部１２２の底面には、Ｘ軸方向に沿って配列されている複数の孔１２１が形成されている。
【００４６】
孔１２１は、例えばＸＹ断面において円形であって、下方に向かうほど狭くテーパ状に形成されている。植物１は、この孔１２１に挿入されて、凹部１２２における孔１２１の周縁部分に保持される。保持部材１２０は、このような複数の孔１２１によって、その保持部材１２０の長手方向に沿って並ぶ複数の植物１を保持する。
【００４７】
図３は、本実施の形態における保持部材１２０が取り付けられた栽培槽１１０の斜視図である。
【００４８】
植物１は、保持部材１２０の凹部１２２の底面に保持される。具体的には、植物１は、上述のように、凹部１２２に形成されている孔１２１に挿入されて、凹部１２２における孔１２１の周縁部分に保持される。また、植物１の根は、保持部材１２０の下側に隠され、植物１の根以外の部分、例えば葉の部分のみが、凹部１２２の底面から露出された状態にある。
【００４９】
図４は、本実施の形態における栽培装置１００において光源１４０からの光が植物１に照射される状態を示す図である。
【００５０】
光源１４０は、植物１の上からその植物１に光を照射する。光源１４０からの光の一部は、植物１に直接照射されるが、他の一部は、保持部材１２０の凹部１２２に照射される。ここで、凹部１２２は、光の反射機能を有する。したがって、光源１４０からの光の一部は、凹部１２２で反射し、その凹部１２２の底面に保持されている植物１に向かう。つまり、光源１４０からの光は、凹部１２２の側面および底面のうちの少なくとも一方で反射し、植物１に照射される。
【００５１】
このように、本実施の形態における栽培装置１００では、栽培槽１１０の上部の空間を遮るような光反射板が取り付けられていないため、光源１４０の熱を容易に逃すことができ、栽培環境の温度の上昇を抑制することができる。さらに、保持部材１２０が光の反射機能を有するため、光源１４０の数および強度を増すことなく、植物１に十分な光を当てることができる。
【００５２】
図５は、保持部材１２０の凹部１２２の深さを説明するための図である。
【００５３】
ここで、光源１４０から凹部１２２の底面までの第１の距離Ｌ１は、図５の（ａ）に示す例では、Ｌ１ａとして示されている。同様に、図５の（ｂ）に示す例では、その第１の距離Ｌ１は、Ｌ１ｂとして示され、図５の（ｃ）に示す例では、その第１の距離Ｌ１は、Ｌ１ｃとして示されている。また、光源１４０から保持部材１２０における凹部１２２の周縁部までの第２の距離Ｌ２は、図５の（ａ）に示す例では、Ｌ２ａとして示されている。同様に、図５の（ｂ）に示す例では、その第２の距離Ｌ２は、Ｌ２ｂとして示され、図５の（ｃ）に示す例では、その第２の距離Ｌ２は、Ｌ２ｃとして示されている。なお、保持部材１２０における凹部１２２の周縁部は、保持部材１２０の当接部１２３に相当する。
【００５４】
図５の（ａ）に示す保持部材１２０では、凹部１２２の深さ（Ｌ１ａ−Ｌ２ａ）は浅い。図５の（ｂ）に示す保持部材１２０では、凹部１２２の深さ（Ｌ１ｂ−Ｌ２ｂ）は中程度であり、図５の（ｃ）に示す保持部材１２０では、凹部１２２の深さ（Ｌ１ｃ−Ｌ２ｃ）は深い。
【００５５】
具体的には、図５の（ａ）に示す保持部材１２０では、例えば、第１の距離Ｌ１ａは、２８５ｍｍであり、第２の距離Ｌ２ａは、２６５ｍｍであって、凹部１２２の深さは、２０ｍｍである。図５の（ｂ）に示す保持部材１２０では、例えば、第１の距離Ｌ１ｂは、３００ｍｍであり、第２の距離Ｌ２ｂは、２６５ｍｍであって、凹部１２２の深さは、３５ｍｍである。図５の（ｃ）に示す保持部材１２０では、例えば、第１の距離Ｌ１ｃは、３２０ｍｍであり、第２の距離Ｌ２ｃは、２６５ｍｍであって、凹部１２２の深さは、５５ｍｍである。
【００５６】
このような図５の（ａ）〜（ｃ）に示すそれぞれの保持部材１２０を用いた栽培装置１００によって、レタスを植物１として栽培する実験を行った。この実験では、図５の（ｃ）に示す保持部材１２０を用いた栽培装置１００によって栽培されたレタスの収量が最も多いことが確認された。具体的には、図５の（ｃ）の保持部材１２０を用いた場合には、図５の（ａ）および（ｂ）のそれぞれの保持部材１２０を用いた場合と比べて、レタスの成長が大きく、収穫量が１．１〜１．３倍に増加している。
【００５７】
つまり、この凹部１２２を深くすることによって、凹部１２２の側面の面積が広くなり、凹部１２２によって反射されて植物１に照射される光の光量が増加し、植物１の育成が増進していることが確認された。
【００５８】
この実験結果により、保持部材１２０は、植物１に効率よく光を当てる光反射板としての効果を有すると考えられる。言い換えれば、凹部１２２の凹みによって、その凹部１２２の側面および底面に当たった光が反射して植物１に当たる確率が格段に向上したと考えられる。
【００５９】
しかし、凹部１２２の深さが深すぎると、植物１の周辺の風通しが悪くなる可能性があるため、その深さは、植物１の最大成長時の高さの１／２〜１／３であることが望ましい。
【００６０】
また、第１の距離Ｌ１および前記第２の距離Ｌ２は、Ｌ２≧Ｌ１×１／３の関係を満たしていてもよい。これにより、光源１４０の熱が凹部１２２に溜まって、栽培環境の温度が上昇してしまうことを抑制することができる。
【００６１】
図６は、保持部材１２０における凹部１２２の他の例を示す図である。
【００６２】
保持部材１２０における凹部１２２の底面は、上述の例では、水平方向に平行な平面であるが、図６に示すように曲面であってもよい。例えば、凹部１２２の底面は、ＹＺ面における断面において放物線を描くような形状に形成されていてもよい。これにより、光源１４０からの光をより効率的に植物１に当てることができる。
【００６３】
以上のように、本実施の形態における栽培装置１００では、保持部材１２０に凹部１２２が形成され、その凹部１２２は光の反射機能を有する。したがって、栽培槽１１０および保持部材１２０の他に、光反射板などの構造物を設けることなく、保持部材１２０に保持されている植物１に光源１４０からの光を効率的に当てることができる。その結果、光源１４０の数および強度を増すことなく、コストを抑えて植物１の成長を促進させることができる。また、その光反射板などの構造物がないため、植物１の周囲の空間がその構造物によって遮られることを防ぐことができ、光源１４０の熱を栽培装置１００の外に逃がしやすくすることができる。その結果、栽培環境の温度が上昇してしまうことを抑えて、適切な温度に保つことができる。つまり、植物周囲の空間を開放することができ、栽培装置１００が設置されている部屋のエアコンなどによって、栽培環境の温度を容易に調整することができ、空調効率の改善を図ることができる。言い換えれば、部屋のエアコンの他にも、植物１の周囲に空調設備を備えることなく、栽培環境の温度を容易に調整することができる。したがって、本実施の形態における栽培装置１００では、栽培環境の温度および光を適切に調整することができる。
【００６４】
また、本実施の形態における栽培装置１００では、保持部材１２０は長尺状の部材であれるため、多くの植物を水路構造によって効率的に栽培することができる。例えば、本実施の形態のように、複数の栽培装置１００が鉛直方向に段積みされて成る栽培棚１００１を用いることができ、部屋のスペースが狭くても、多くの植物を効率的に栽培することができる。
【００６５】
また、本実施の形態における栽培装置１００では、凹部１２２の側面および底面は白色であるため、例えば白色の樹脂によって凹部１２２を含む保持部材１２０を生成すれば、凹部１２２に光の反射機能を容易に持たせることができる。
【００６６】
また、本実施の形態における栽培装置１００では、第２の距離Ｌ２が第１の距離Ｌ１の１／３以上になるように、光源１４０が保持部材１２０から離されるため、光源１４０からの熱が、凹部１２２に囲まれている空間に溜まることを抑制することができる。したがって、栽培環境の温度をより適切に調整することができる。
【００６７】
また、本実施の形態における栽培装置１００では、凹部１２２の底面は、平面または曲面であるため、保持部材１２０の設計の自由度を高めることができる。また、凹部１２２の底面が曲面である場合には、光源１４０からの光を植物１に向けて効率的に反射させる可能性を高めることができる。
【００６８】
また、本実施の形態における保持部材１２０は、当接部１２３と凹部１２２とを備える植物保持具である。このような植物保持具の凹部１２２は、栽培槽の底側に凹んだ形状であって、光の反射機能を有する。そして、光源１４０からの光は、その凹部１２２で反射し、その凹部１２２の底面に保持されている植物１に向かう。したがって、このような植物保持具を、どのような栽培槽に取り付けても、栽培装置１００と同様の効果を奏することができる。
【００６９】
（変形例）
上記実施の形態における植物栽培システム１０００の栽培装置１００は、いわゆる水路構造であるが、いわゆるプール構造であってもよい。
【００７０】
図７は、本変形例に係るプール構造の栽培装置１００の外観および断面を示す図である。具体的には、図７の（ａ）は、本変形例に係る栽培装置１００の斜視図を示し、図７の（ｂ）は、本変形例に係る栽培装置１００のＹＺ面における断面図である。
【００７１】
本変形例に係る栽培装置１００は、奥行き方向の幅が広い栽培槽１１０と、保持部材１２０と、複数の光源１４０とを備えている。なお、図７では、光源１４０は図示されていない。
【００７２】
栽培槽１１０は、図７の（ａ）に示すように、幅方向（すなわちＸ軸方向）にだけ長く形成されておらず、奥行き方向（すなわちＹ軸方向）にも長く形成されている。
【００７３】
そして、保持部材１２０は、このような栽培槽１１０の開口を覆うように、その栽培槽１１０に取り付けられる。この保持部材１２０には、図７の（ａ）および（ｂ）に示すように、複数の溝が凹部１２２として形成されている。これらの複数の溝（すなわち凹部１２２）は、それぞれ第１の方向であるＸ軸方向に沿い、かつ、その第１の方向と直交する第２の方向（すなわちＹ軸方向）に配列されている。なお、第２の方向は、第１の方向と交差していれば、直交していなくてもよい。
【００７４】
このような溝として形成されている複数の凹部１２２のそれぞれは、上記実施の形態と同様に光の反射機能を有する。したがって、保持部材１２０にマトリクス状に配列された複数の植物１のそれぞれに対して光を効率的に当てることができる。さらに、光反射板などの構造物が配置されていないため、栽培槽１１０の上部の空間がその構造物によって遮られることなく、光源１４０からの熱を容易に逃がすことができる。
【００７５】
（その他の変形例）
以上、一つまたは複数の態様に係る栽培装置および植物保持具について、実施の形態およびその変形例に基づいて説明したが、本開示は、この実施の形態および変形例に限定されるものではない。本開示の趣旨を逸脱しない限り、当業者が思いつく各種変形を本実施の形態およびその変形例に施したものも、本開示の範囲内に含まれてもよい。
【００７６】
例えば、上記実施の形態およびその変形例では、保持部材１２０は、白色の樹脂成型品として構成されているが、アルミなどの金属によって構成されていてもよい。また、凹部１２２の側面および底面は、鏡面加工されていてもよい。これにより、より効果的な光の反射機能を凹部１２２に持たせることができる。また、光の反射機能を有する凹部１２２は、光源１４０からの光が例えば５０％以上の反射率で反射するような材質で構成されていれば、その材質はどのようなものであってもよい。
【００７７】
また、上記実施の形態およびその変形例では、光源１４０は植物１の真上（すなわちＺ軸方向の上）からその植物１に光を照射するが、真上ではなく、植物１の斜め上からその植物１に光を照射してもよい。これにより、植物１に光をより効果的に当てる可能性を高めることができる。
【００７８】
また、上記実施の形態およびその変形例では、栽培装置１００で栽培される植物１としてレタスを例として挙げたが、レタス以外の葉菜類の植物であってもよく、葉菜類以外の植物であってもよい。
【００７９】
また、上記実施の形態およびその変形例では、栽培装置１００および植物栽培システム１０００による栽培方法は水耕栽培であるが、土耕栽培であってもよい。この場合には、養液２の代わりに土が被収納物として栽培槽１１０に収納される。また、土の代わりになる代替物または培地を栽培槽１１０に収納してもよい。
【００８０】
また、上記実施の形態およびその変形例では、保持部材１２０は、栽培槽１１０の開口の全てを覆っているが、その開口の一部のみを覆っていてもよい。
【００８１】
また、上記実施の形態およびその変形例では、保持部材１２０の凹部１２２は、栽培槽１１０の底側に凹んだ形状であるが、凹みの向きは底側に限定されず、どのような向きであってもよい。
【００８２】
なお、上記実施の形態およびその変形例において、光源制御部１００２および養液制御部１００３などの構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【００８３】
本開示は、栽培環境の温度および光を適切に調整することができ、例えばレタスなどの植物を栽培するシステムまたは装置に利用可能である。
【符号の説明】
【００８４】
１    植物
２    養液
１００    栽培装置
１１０    栽培槽
１２０    保持部材
１２１    孔
１２２    凹部
１２３    当接部
１３０    天井板
１４０    光源
１０００    植物栽培システム
１００１    栽培棚
１００２    光源制御部
１００３    養液制御部
１００４    配管
【図１】
2020145972.tif 000003
【図２】
2020145972.tif 000004
【図３】
2020145972.tif 000005
【図４】
2020145972.tif 000006
【図５】
2020145972.tif 000007
【図６】
2020145972.tif 000008
【図７】
2020145972.tif 000009